(57)【要約】      （修正有）【課題】面状の構造体を使用することで、強度が高く、設置・撤去・運搬が容易で、しかも外観に優れたテント用支柱部材およびテントを提供する。【解決手段】テント用支柱部材１は、複数の面状の構造体２ａ，２ｂと、前記構造体２ａ，２ｂの高さ方向に沿った縁部に設けられた接続部材３を有し、この接続部材３によって面状の構造体同士２ａ，２ｂが相互に着脱自在あるいは回転自在に接続して構成する。【選択図】図１
0003158432.tif 000002
【実用新案登録請求の範囲】
【請求項１】
複数の面状の構造体がその高さ方向に沿った縁部において組み合わされていることを特徴とするテント用支柱部材。
【請求項２】
面状の構造体同士を着脱自在に接続する接続部材が面状の構造体の高さ方向に沿った縁部に設けられており、この接続部材によって前記構造体同士が着脱自在に接続されることを特徴とする請求項１に記載のテント用支柱部材。
【請求項３】
面状の構造体同士を回転自在に接続する接続部材が面状の構造体の高さ方向に沿った縁部に設けられており、この接続部材によって前記構造体同士が回転自在に接続されることを特徴とする請求項１に記載のテント用支柱部材。
【請求項４】
請求項１から請求項３のいずれかに記載のテント用支柱部材と、このテント用支柱部材の上に取り付ける上部支持枠体を有し、テント用支柱部材と上部支持枠体の接続部には一方が突起部材で他方がこの突起部材を挿入できる筒状部材である接続部材が設けられているテント。
【考案の詳細な説明】
【技術分野】
【０００１】
この考案は、本発明は、主に日除けや雨避けとして使用されるテントおよびその支柱に関する。
【背景技術】
【０００２】
特許文献１などには、柱パイプ、桁パイプおよび梁パイプを組み合わせたテントの支持構造が記載されている。このような組み立て式テントは、運動会や集会、あるいは各種イベントなどで使用されている。また、特許文献２などには、剛性フレームや弾性フレームなどを連結した折り畳み式のテントが記載されている。  
【先行技術文献】
【特許文献】
【０００３】
【特許文献１】実開平５−１７０３７
【特許文献２】特開２００８−２５２３５
【考案の概要】
【考案が解決しようとする課題】
【０００４】
特許文献１や特許文献２に記載されているテントをはじめとして従来のテントにおいては、全体を支持する４本またはそれ以上の支柱は、細いパイプ状の部材であった。ミクロにみればこれらの支柱も円筒または四角形の筒であって３次元構造物ではあるが、テント全体の大きさから比較すれば線状の部材といえるものである。このように細い支柱では断面２次モーメントや断面係数は小さく、強度を上げることは困難である。したがって、強風を受けることによって、激しく揺れたり、破損するおそれがある。
【０００５】
また、従来のテントは外観も単調である。さまざまなイベントなどに使用するために上部のシートに華やかなデザインを施すことはあっても、来客者はテント内でそのデザインを見ることはできず、目の高さに映るのは特徴のない支柱のみである。細い線状の支柱では施せるデザインは限られており、イベントの雰囲気を盛り上げるような華やかさは期待できない。
【０００６】
この考案は、強度が高く、設置・撤去・運搬が容易で、しかも外観に優れたテント用支柱部材およびテントを提供することを目的とする。
【課題を解決するための手段】
【０００７】
上述の課題を解決するため、この考案のテント用支柱部材は、複数の面状の構造体がその高さ方向に沿った縁部において組み合わされていることを特徴とする。面状の構造体同士を着脱自在に接続する接続部材を面状の構造体の高さ方向に沿った縁部に設け、この接続部材によって面状構造体同士を着脱自在に接続してもよい。また、蝶番など面状構造体同士を回転自在に接続する接続部材を面状の構造体の高さ方向に沿った縁部に設け、この接続部材によって面状構造体同士を回転自在に接続してもよい。
【０００８】
また、この考案のテントは、上述のテント用支柱部材と、このテント用支柱部材の上に取り付ける上部支持枠体を有し、テント用支柱部材と上部支持枠体の接続部には一方が突起部材で他方がこの突起部材を挿入できる筒状部材である接続部材が設けられている。
【考案の効果】
【０００９】
この考案のテント用支柱部材およびテントは、複数の面状の構造体を接続部材によって着脱自在に接続することによって強固な支柱を簡単に構成することができる。ドライバやスパナなど特別な工具は必要なく、簡単に設置および撤去をすることができる。これまでのテントとは全く異なる新しい外観を有する。
【図面の簡単な説明】
【００１０】
【図１】テント用支柱部材を示す斜視図である。
【図２】接続部材を示す正面図である。
【図３】接続部材の変形例を示す正面図である。
【図４】同拡大平面図である。
【図５】テントを示す正面図である。
【考案を実施するための形態】
【００１１】
この考案を実施するための形態について図面に基づいて説明する。図１はテント用支柱部材を示す斜視図、図２は接続部材を示す正面図である。テント用支柱部材１は、複数の面状の構造体２と、この面状の構造体の縁部２に設けられた接続部材３を有する。
【００１２】
構造体２は、長方形の外形を有する。たとえば、４本の丸パイプや角パイプの鋼材を溶接などで接続して長方形の外枠を構成し、その内部にも複数のパイプを取り付けて面状の構造体を形成することができる。また、板材を使用してもよく、線状の構造材と板材の組み合わせなどでもよい。なお、従来のテントの支柱に使用される角パイプを構成する各面も厳密にみれば面状の広がりを有するが、その太さは３０〜３８ｍｍ程度かそれ以下であってテント全体の大きさに比較すれば極めて小さく、この考案においては面状の構造体には含まれない。この考案においては面状の構造体とは、少なくとも１５０ｍｍ以上の幅を有するものである。
【００１３】
図１において一つ面状構造体２ａの高さ方向に沿った側端の縁部には、２以上の突起部材４が２以上設けられている。この突起部材４は、細い基部５と、基部よりも径が大きい先端部６を有する。一方、他の面状構造体２ｂの側端の縁部には、突起部材４と同数の鍵穴状の接続穴７が設けられている。それぞれの突起部材４に対応して接続穴７がほぼ同じ高さに位置している。この例では、突起部材４と接続穴７によって接続部材が構成されている。
【００１４】
接続穴７は、円形穴部８と、その上部につながったスリット部９よりなる。円形穴部８は突起部材４の先端部より若干大きく、突起部材４の先端部６を出し入れすることができる。一方、スリット部９の幅は突起部材４の基部５よりは広いが、先端部６の径よりは小さい。したがって、突起部材４の基部５がスリット部９に入っているときは、先端部６を引き出すことはできない。
【００１５】
円形穴部８は突起部材４よりも若干高い位置に設けられている。そこで、面状構造体２ｂを少し持ち上げることによって、突起部材４を円形穴部８に挿入することができる。その状態で面状構造体２ｂを降ろすことによって、突起部材４の基部５はスリット部９に進入する。このスリット部９は突起部材４と同じ高さに設定されているので、突起部材４と接続穴７のはめ込みによって接続したときに、二つの面状構造体２ａ，２ｂは側部を同じ高さに揃えて接続され、Ｌ字型の支柱部材が形成される。
【００１６】
以上、面状構造体２ａ，２ｂは簡単に接続・分離することができる。この例では２基の面状構造体２によってＬ字型の支柱部材を構成したが、３基でコの字型にしたり、４基で四角柱状に形成してもよい。
【００１７】
つぎに、接続部材の変形例を説明する。図３は接続部材の変形例を示す正面図、図４は同平面図である。この変形例では、突起部材１０と筒状部材１１によって接続部材が構成される。一つ面状構造体２ａの側端の縁部には、鉛直方向に、すなわち、面状構造体２ａの側端に沿った方向に伸びた２以上の突起部材１０が設けられている。一方、他の面状構造体２ｂの側端の縁部には、突起部材１０と同じ高さに同数の筒状部材１１が設けられている。筒状部材１１の内部は突起部材１０の外形とほぼ同じ形状であり、突起部材１０を筒状部材１１をはめ込むことによって、２つの面状構造体２ａ，２ｂを接続することができる。
【００１８】
以上、接続部材３によって２以上の面状構造体２が着脱自在に接続されるので、支柱部材の組み立て・分解は容易である。なお、ここでは、「着脱自在に接続」とはネジやボルトなどのように特別な工具を必要とする接続手段を含まないが、それ以外であれば、上述の接続手段には限定されない。
【００１９】
面状構造体２は蝶番によって屏風状に接続することもできる。この場合、接続された面状構造体２を分離するには、蝶番を取り外す等しなければならないので、前述の接続手段よりは、分解しにくい面がある。しかし、蝶番によって折り畳むことができるので、移送や保管は容易である。開くだけで支柱の形状が作られ、また部品点数も少なくなり、設置が容易になる。
【００２０】
面状構造体２の上部には、上側の構造部材である上部支持枠体と接続するための突起部材１２も設けられている。ここでは、接続部材３の近くやそれとは離れた位置にも突起部材１２が設けられている。一方、上部支持枠体の下側には突起部材１２をはめ込むための筒状部材１３が設けられている。この突起部材１２と筒状部材１３の接合によって、上部支持枠体をテント用支柱部材１の上に取り付けることができる。
【００２１】
図５はテントを示す正面図である。４基のテント用支柱部材１をテントの四隅に配置し、その上に上部支持枠体１４を載せて、突起部材１２と筒状部材１３とはめ合わせるだけで、簡単にテントの骨格を形成することができる。なお、筒状部材１３を面状構造体２の上部に設け、突起部材１２を上部支持枠体１４の端部に設けてもよい。
【００２２】
ここでは、上部支持枠体１４は、４本のフレーム材の端部を頂点で接続して四角錐を形成する屋根支持枠体１５と、その下に設けられた基部１６を有する。基部１６は２本の梁の間に複数のフレーム材を垂直に取り付けた４体のはしご状の部材１７を有する。この４体のはしご状の部材１７によって正方形の筒の形状を形成する。基部１６の下側には筒状部材１３が設けられている。一方、基部１６の上側は屋根支持枠体１５と接続され、テント用シートを取り付けるための枠体が形成される。なお、それぞれのはしご状の部材１７は、さらに２つの部分部材を中心部で回転自在につなぎ合わせた構造としてもよく、分解時には折りたためるようにすることによって、移送や保管を容易にすることもできる。
【００２３】
テント用支柱部材１は四隅以外にも配置してよく、大きなテントを構成することもできる。複数の面状構造体２で構成されたテント用支柱部材１は強固であり、テントを安定した状態で支持することができる。簡単に設置ができるほか、分間も容易であり、撤去や移動、あるいは保管も行いやすい。
【００２４】
このテント用支柱部材１を使用することによって、これまでにない新しい外観が得られる。面状構造体２には用途に合わせてさまざまなデザインを適用することもでき、イベントを盛り上げるような華やかな雰囲気を演出することもできる。
【符号の説明】
【００２５】
１．テント用支柱部材
２．面状の構造体
３．接続部材
１２．突起部材
１３．筒状部材
１４．上部支持枠体
【図１】
0003158432.tif 000003
【図２】
0003158432.tif 000004
【図３】
0003158432.tif 000005
【図４】
0003158432.tif 000006
【図５】
0003158432.tif 000007
【手続補正書】
【提出日】平成22年2月3日(2010.2.3)
【手続補正１】
【補正対象書類名】実用新案登録請求の範囲
【補正対象項目名】全文
【補正方法】変更
【補正の内容】
【実用新案登録請求の範囲】
【請求項１】
長方形の外形を有する複数の面状の構造体を備え、面状の構造体同士を接続する接続部材がそれぞれの面状の構造体の高さ方向に沿った縁部に設けられていて、接続部材によって２基の前記構造体同士が同じ高さに揃えてＬ字型に接続されていることを特徴とするテント用支柱部材。
【請求項２】
面状の構造体同士を着脱自在に接続する接続部材が面状の構造体の高さ方向に沿った縁部に設けられており、この接続部材によって前記構造体同士が着脱自在に接続されることを特徴とする請求項１に記載のテント用支柱部材。
【請求項３】
面状の構造体同士を回転自在に接続する接続部材が面状の構造体の高さ方向に沿った縁部に設けられており、この接続部材によって前記構造体同士が回転自在に接続されることを特徴とする請求項１に記載のテント用支柱部材。
【請求項４】
請求項１から請求項３のいずれかに記載のテント用支柱部材と、このテント用支柱部材の上に取り付ける上部支持枠体を有し、テント用支柱部材と上部支持枠体の接続部には一方が突起部材で他方がこの突起部材を挿入できる筒状部材である接続部材が設けられているテント。
【手続補正２】
【補正対象書類名】明細書
【補正対象項目名】０００９
【補正方法】変更
【補正の内容】
【０００９】
この考案のテント用支柱部材およびテントは、複数の面状の構造体を接続部材によって接続することによって強固な支柱を簡単に構成することができる。ドライバやスパナなど特別な工具は必要なく、簡単に設置および撤去をすることができる。これまでのテントとは全く異なる新しい外観を有する。